(57)【要約】【課題】衣料品販売店等において衣料品を陳列する部品点数を少なくして陳列の演出を高めることができる商品陳列用什器を提供すること。【解決手段】略四角断面であって、４つの面の全てに上下多段にスリット孔２１が形成された２本の支柱２、２と、支柱２、２に取着される取付け部３１と取付け部３１と一体である略水平方向に延在するブラケット本体部３２とを有するブラケット３と、を備える商品陳列用什器１０。【選択図】図１
2015208592.tif 000002
【特許請求の範囲】
【請求項１】
略四角断面形状であって４つの面の全てに上下多段にスリット孔が形成された２本の支柱と、
該支柱に取着される取付け部と該取付け部と一体である略水平方向に延在するブラケット本体部とを有するブラケットと、
を備えることを特徴とする商品陳列用什器。
【請求項２】
前記２本の支柱間の内寸法は、該ブラケット本体部の長手方向長さの２倍であることを特徴とする請求項１記載の商品陳列用什器。
【請求項３】
前記ブラケットの取付け部は、該スリット孔に係止する係止爪部と、該支柱の取着側の左右角部に掛り係止する両腕係止部とを有し、該両腕係止部は互いに側面視で重なることがない位置に形成されていることを特徴とする請求項１又は２記載の商品陳列用什器。
【請求項４】
該取付け部は、該係止爪部が係止するスリット孔が形成される取着面に当接する面部を更に有し、該両腕係止部は、該面部の左右側端に形成されていることを特徴とする請求項３記載の商品陳列用什器。
【請求項５】
前記ブラケット本体部は、棒状であることを特徴とする請求項１〜４のいずれか１項に記載の商品陳列用什器。
【請求項６】
前記棒状は、四角形断面の角棒状であることを特徴とする請求項５記載の商品陳列用什器。
【請求項７】
前記２本の支柱が対峙する側の面を取着面とし、対応する２本の支柱位置にブラケットをそれぞれ設置し、２本のブラケット本体部の先端を突き合わせて１本の水平バー部材として使用することを特徴とする請求項２記載の商品陳列用什器。
【請求項８】
前記２本の支柱が対峙する側の面とは反対側の面を取着面とし、ブラケット本体部が外側に延出するようにブラケットを設置することを特徴とする請求項１〜７のいずれか１項に記載の商品陳列用什器。
【請求項９】
前記支柱は基台に固定されるものであり、該基台は、支柱並び方向の長さが支柱間外寸法よりも大の長さを有するものであることを特徴とする請求項１〜８のいずれか１項に記載の商品陳列用什器。
【請求項１０】
前記基台は、キャスター付きであることを特徴とする請求項１〜９のいずれか１項に記載の商品陳列用什器。
【請求項１１】
前記ブラケットには、棚板部材やバスケットなどの補助什器が支持されることを特徴とする請求項１〜１０のいずれか１項に記載の商品陳列用什器。
【発明の詳細な説明】
【技術分野】
【０００１】
本発明は、例えば、衣料品販売店等において衣料品を陳列する使用部材の部品点数が少なくとも陳列の演出に優れる商品陳列用什器に関するものである。
【背景技術】
【０００２】
従来、衣料品販売店等において衣料品を陳列する商品陳列用什器１００は、例えば、図１４に示すように、２本の支柱２００、２００間に棚板部材３００を差し渡しで、前後且つ多段に設置したものが知られている。２本の支柱２００は例えば前後方向に延びる左右部材の脚部５００に設置したものが知られている。この際、２本の支柱２００は連結板６００で固定され衝立状となっている。そして、支柱２００を構成する四つの面の中、前後の面には上下多段にスリットが形成されている。
【０００３】
ブラケットは、腕木など、片持ち状の支持具の総称であり、商品陳列用什器においては、棚板部材、大型バスケット等の受け部材として知られている。このような棚受けブラケット８００は、図１４に示すように、支柱２００のスリット孔に取着される取着部（係止爪部）８０１と、棚板部材３００が載置される片持ち状ブラケット本体部８０２を備えるものが多数提案されている（特開２００８−１３６６８５号公報、特開２００１−２４５７３４号公報）。
【先行技術文献】
【特許文献】
【０００４】
【特許文献１】特開２００８−１３６６８５号公報
【特許文献２】特開２００１−２４５７３４号公報
【発明の概要】
【発明が解決しようとする課題】
【０００５】
しかしながら、従来の商品陳列用什器１００は、ブラケットで支持するのは棚板部材又は大型のバスケットであり、衣料品の陳列の演出においては物足りないものであった。衣料品はハンガーを用いた吊り下げ陳列が必要であり、この場合、更に別途の吊り下げ用の陳列用什器が必要であった。そこで、棚板部材やバスケットの他、多数の商品を吊り下げるバー部材を別途のバー部材を準備することなく、設置できる商品陳列用什器の開発が望まれていた。なお、従来の商品陳列用什器１００は、支柱２００の外側（図１４中、符号Ｘ方向）は通路になっており、支柱の外側に向けてブラケットを突出させ、吊り下げ用バー部材とする発想は全くなかった。  
【０００６】
従って、本発明の目的は、衣料品販売店等において衣料品を陳列する什器であって、別途の吊り下げ用什器を使用することなく、構成部材の部品点数が少なくとも陳列の演出を高めることができる商品陳列用什器を提供することである。また、本発明の他の目的は、棚受け用以外に、ハンガーなどの吊り下げ具を安定に吊り下げることができるブラケットを使用した商品陳列用什器を提供することである。
【課題を解決するための手段】
【０００７】
すなわち、本発明は、上記従来技術の課題を解決したものであり、略四角断面形状であって４つの面の全てに上下多段にスリット孔が形成された２本の支柱と、該支柱に取着される取付け部と該取付け部と一体である略水平方向に延在するブラケット本体部とを有するブラケットと、を備えることを特徴とする商品陳列用什器を提供するものである。
【０００８】
また、本発明は、前記２本の支柱間の内寸法は、該ブラケット本体部の長手方向長さの２倍であることを特徴とする前記商品陳列用什器を提供するものである。
【０００９】
また、本発明は、前記ブラケットの取付け部は、該スリット孔に係止する係止爪部と、該支柱の取着側の左右角部に掛り係止する両腕係止部とを有し、該両腕係止部は互いに側面視で重なることがない位置に形成されていることを特徴とする前記商品陳列用什器を提供するものである。
【００１０】
また、本発明は、該取付け部は、該係止爪部が係止するスリット孔が形成される取着面に当接する面部を更に有し、該両腕係止部は、該面部の左右側端に形成されていることを特徴とする前記商品陳列用什器を提供するものである。
【００１１】
また、本発明は、前記ブラケット本体部は、棒状であることを特徴とする前記商品陳列用什器を提供するものである。
【００１２】
また、本発明は、前記棒状は、四角形断面の角棒状であることを特徴とする前記商品陳列用什器を提供するものである。
【００１３】
また、本発明は、前記２本の支柱が対峙する側の面を取着面とし、対応する２本の支柱位置にブラケットをそれぞれ設置し、２本のブラケット本体部の先端を突き合わせて１本の水平バー部材として使用することを特徴とする前記商品陳列用什器を提供するものである。
【００１４】
また、本発明は、前記２本の支柱が対峙する側の面とは反対側の面を取着面とし、ブラケット本体部が外側に延出するようにブラケットを設置することを特徴とする前記商品陳列用什器を提供するものである。
【００１５】
また、本発明は、前記支柱は基台に固定されるものであり、該基台は、支柱並び方向の長さが支柱間外寸法よりも大の長さを有するものであることを特徴とする前記商品陳列用什器を提供するものである。
【００１６】
また、本発明は、前記基台は、キャスター付きであることを特徴とする前記商品陳列用什器を提供するものである。
【００１７】
また、本発明は、前記ブラケットには、棚板部材やバスケットなどの補助什器が支持されることを特徴とする前記商品陳列用什器を提供するものである。
【発明の効果】
【００１８】
本発明の商品陳列用什器によれば、ブラケットを棚受け用のみならず、吊り下げ用としても使用できるため、別途の吊り下げ用什器を使用することなく、使用部材の部品点数を少なくして陳列の演出を高めることができる。また、ブラケットを両腕係止部により支柱を抱く形状にすれば、ブラケットに横方向の外力が作用しても安定な支持ができ、ハンガーなどの吊り下げ具を安定に吊り下げることができる。また、２本の支柱の外側へ張り出す大きな基台を使用すれば、ブラケットを支柱の外側面に取着し、ブラケット本体部を外側に突出させて、吊り下げ用のバー部材として使用できる。このような陳列用什器であっても、基台領域と顧客通路を明確に区画できる。
【図面の簡単な説明】
【００１９】
【図１】本発明の実施の形態における商品陳列用什器の斜視図である。
【図２】図１の商品陳列用什器を構成する支柱を取り付けた基台の斜視図である。
【図３】図１の商品陳列用什器を構成するブラケットの斜視図である。
【図４】図１の商品陳列用什器を構成する棚板部材の斜視図である。
【図５】図３のブラケットの他の斜視図である。
【図６】図３のブラケットの平面図である。
【図７】図３のブラケットの左側面図である。
【図８】図３のブラケットの背面図である。
【図９】図３のブラケットの取付けの一例を示す斜視図である。
【図１０】本発明の実施の形態における商品陳列用什器の使用例を示す図である。
【図１１】本発明の実施の形態における商品陳列用什器の他の使用例を示す図である。
【図１２】本発明の実施の形態における商品陳列用什器の複数台の組み合わせ例を示す模式平面図である。
【図１３】本発明の実施の形態における商品陳列用什器の複数台の他の組み合わせ例を示す模式平面図である。
【図１４】従来の商品陳列用什器の斜視図である。
【発明を実施するための最良の形態】
【００２０】
本発明の実施の形態における商品陳列用什器を図１〜図１３を参照して説明する。商品陳列用什器１０は、２本の支柱２、２と、ブラケット３とを備える。
【００２１】
商品陳列用什器１０における支柱２は、支柱２を構成する四つの面にそれぞれ上下多段にスリット孔２１が形成されている。これにより、支柱２を構成する四つの面をブラケット３の取着面とすることができる。支柱２において、略四角形断面とは、角が小さなアールあるいは面取りされている支柱を含む意味である。四角形断面は正四角形断面とすることが、支柱２の４つの面に同じ形状のブラケット３を設置することができる点で好ましい。２本の支柱２が固定部材、本例では基台１に固定され、更に２本の支柱２、２は上部において連結部材４で連結され、全体がアーチ形状（門型形状）の基台構造体１Ａとすることができる（図２参照）。
【００２２】
ブラケット３は、上下多段にスリット孔２１が形成された略四角形断面の支柱２に取着される取付け部３１と、取付け部３１と一体である略水平方向に延在するブラケット本体部３２と、を有し、取付け部３１は、スリット孔２１に係止する係止爪部３１１と、支柱２の取着側の左右角部２０１ａ、２０１ｂに掛り係止する両腕係止部３１３（３１３ａ、３１３ｂ）とを有し、両腕係止部３１３（３１３ａ、３１３ｂ）は互いに側面視で重なることがない位置に形成されている（図８参照）。
【００２３】
取付け部３１において、係止爪部３１１と両腕係止部３１３（３１３ａ、３１３ｂ）は、連結部材で一体となっているものがよい。本例において、係止爪部３１１と両腕係止部３１３（３１３ａ、３１３ｂ）を連結する部材は、係止爪部３１１が係止するスリット孔２１が形成される取着面２０２に当接する面部３１２である。なお、本例では、面部３１２、両腕係止部３１３及び中央の係止爪部３１１ｂは一体物である。面部３１２は支柱２に取着される際、支柱２の取着面２０２と面接触する部分であり、本例では中央の係止爪部３１１ｂを除いて平坦面である。これにより、支柱２に対するブラケット３の取付けが安定する。本発明において、面部３１２は両腕係止部３１３（３１３ａ、１３ｂ）を一体的に連接するものであれば、大きさ及び形状等は特に制限されない。
【００２４】
取付け部１において、両腕係止部３１３中、一方の腕係止部３１３ａは、面部３１２の左右方向の一方の端部上側から横方向外側に突出し、更に先端が反ブラケット本体部側に直角（鉤状）に屈曲するものであり、他方の腕係止部３１３ｂは、面部３１２の左右方向の反対側（他方）の端部下側から横方向外側に突出し、更に先端が反ブラケット本体部側に直角（鉤状）に屈曲するものであり、一方の腕係止部３１３ａの下端３３２ａは、他方の腕係止部３１３ｂの上端３３１ｂより上方に位置する。すなわち、両腕係止部３１３（３１３ａ、３１３ｂ）は互いに側面視で重なる部分がない段違いの位置に形成されている。これにより、一つの略四角形支柱２を構成する四つの面の中、隣接して直交する２つの面において、同じ高さ位置で取り付けることができる（図９参照）。
【００２５】
また、両腕係止部３１３の面部３１２の端からの左右方向外側へ突出する長さ（内寸法）（ｌ２）は、両腕係止部３１３の先端における反ブラケット本体部側への突出する長さ（内寸法）（ｌ１）より大である。これにより、一つの略四角形支柱２を構成する四つの面の中、隣接して直交する２つの面において、同じ高さ位置で取り付けた際、一方のブラケット３の一方の腕係止部３１３ａと、他方のブラケット３の他方の腕係止部３１３ｂは、端同士が接触又は重なることがなく、設置の障害とならない（図９参照）。両腕係止部３１３の内寸法は、支柱２の外寸法より極僅か大である。これにより、両腕係止部３１３が支柱２を抱くことになり、横方向の外力が作用しても係止が外れることがない。すなわち、両腕係止部３１３が取着側（取着面）の左右角部２０１ａ、２０１ｂに掛り係止することになる。
【００２６】
取付け部３１は、スリット孔２１に係止する２つ又は３つの係止爪部３１１を有する。係止爪部３１１が一つでは係止の安定性に欠け、４つ以上では、取付け部３１の形状が大きくなり過ぎて、陳列へ影響する一方、設置安定性において３つと比較してそれほどの効果を得るものではない。係止爪部３１１は本例では３つであり、支柱２のスリット形成位置に対応する位置に直列状に設置される。係止爪部３１１の形状は、従来のものと同様でよく、板状体の下端に支柱２を形成する面部材の厚みよりやや大の幅を有する切欠きが形成されたものである。これにより、係止爪部３１１をスリット孔２１に対して横から差し込み、次いで下方へ落とすことで、ブラケット３を支柱２に係止できる。本例の３つの係止爪部３１１の形成位置は、上方の係止爪部３１１ａは取付け部３１の上方、すなわち、係止爪部３１１ａの上端がブラケット本体部３２の上端面と略面一となる位置に、中央の係止爪部３１１ｂは、取付け部３１の上下方向の中央に、下方の係止爪部３１１ｃは、取付け部３１の下方に形成される。スリット孔２１に係止爪部３１１を係止することで、棚板部材１１などを安定に支持することができる。なお、本発明において、取付け部３１の両腕係止部３１３は任意の構成要素であり、省略することができる。その場合、面部１２の大きさを小さくしてもよく、また無くしてもよい。この場合、支柱２への支持安定性は若干悪くなるものの陳列に支障はない。
【００２７】
ブラケット本体部３２は、取付け部３１から反支柱方向に略水平状に又は極僅か斜め上方に延出するものであり、棒状であることが好ましく、本例では、四角形断面の角棒状である。これにより、ブラケット本体部３２が前後方向に延出するように、左右一対で用いれば、棚板部材やバスケットなどの載置物を載せることができ、また、単独で用いればハンガーなどを吊るすこともできる。
【００２８】
ブラケット３は、ブラケット本体部３２と取付け部３１との固定を強固にするため、ブラケット本体部３２と取付け部３１の交差内側を固定する補強部材３４を有していてもよい。これにより、取付け部３１へのブラケット本体部３２の固定が安定する。
【００２９】
ブラケット３において、ブラケケット本体部３２の先端側の上面には、上方に突出する先端係止部３３が形成されていてもよい。先端係止部３３は、例えば円筒小突起が挙げられる。これにより棚板部材１１を安定して設置できる。すなわち、ブラケケット本体部３２の基端から先端係止部３３の内側までの寸法が、棚板部材の前後方向における奥行幅より極僅か大であれば、棚板部材１１をガタツキなく設置できる。
【００３０】
ブラケット３は支柱２を構成する４面のいずれにも設置することができる。例えば、ブラケット３の支柱２への取着面２０２を２本の支柱が向い合う面（内側面）とし、左右一対のブラケット３を設置してもよい。この場合、図１に示すようなバー部材１４とすることができる。この場合、２つの対峙する支柱間の寸法ｌ４は、ブラケット本体部３２の長手方向長さｌ３の２倍となっている。すなわち、バー部材１４は、左右一対のブラケット３を内側に延出させ突き合わせた１本のバー部材１４となる。これにより、ハンガー等の吊り下げ具に架けられた衣料品の陳列に好適なものとなる。このようなバー部材１４は水平方向の外力が作用することがあるが、支柱２に対するブラケット３の両腕係止部３１３の係止により、安定した支持をすることができる。
【００３１】
また、例えば、４本のブラケット３を準備し、支柱２への取着面２０２を４面全てとし、同一水平位置で設置してもよい。この場合、図９に示すような支柱２を中心として平面視が十字状のバー部材１５とすることができる。このようなブラケット３の設置であっても、一方のブラケット３の一方の腕係止部３１３ａと、隣接する他方のブラケット３の他方の腕係止部３１３ｂは、それぞれ上側と下側に位置し、且つそれぞれの端が接触しないため、図９のような隣接位置にある２つの面に設置しても障害とならず、且つ水平方向の外力が作用しても安定した支持をすることができる。
【００３２】
ブラケット３には、棚板部材１１やバスケット１２などの補助什器が載置される。商品陳列什器１０において、前方の棚板部材１１ａは、前方の左右一対のブラケット３に支持されている。前方の左右一対のブラケット３は、支柱２の前面を取着面２０２とし、同じ高さで左右対称位置に設置したものである。後方の棚板部材１１ｂは、後方の左右一対のブラケット３に支持されている。後方の左右一対のブラケット３は、支柱２の後面を取着面２０２とし、同じ高さで左右対称位置に設置したものである。棚板部材１１には、高級品カッターシャツ、セーター等の陳列に好適である。
【００３３】
商品陳列什器１０において、前方のバスケット１２は、前方の左右一対のブラケット３に支持されている。前方の左右一対のブラケット３は、支柱２の前面を取着面２０２とし、同じ高さで左右対称位置に設置したものである。バスケット１２には、カッターシャツ等の陳列に好適である。
【００３４】
また、例えば、図１０に示すように、４本のブラケット３を準備し、一つの支柱２への取着面２０２を左右横面（外側面と内側面）の２面とし、他の支柱２への設置も同様にして、同一水平位置でそれぞれ設置してもよい。この場合、４本のブラケット本体部３２が水平方向に連続して、あたかも１本のバー部材１５のようにすることができる。図１２は図１０に示す商品陳列用什器１０の３台の設置形態を示す模式平面図であり、商品陳列用什器１０の２台を横並びで隣接させ、他の１台をバー部材１５の延出方向が２台のバー部材１５の延出方向の直角方向となるような陳列姿勢としたものである。このように、商品陳列用什器１０を複数台設置して、ブラケット３をバー部材で且つ趣のある陳列形態とすることができる。
【００３５】
また、例えば、図１１に示すように、４本のブラケット３を準備し、一方の支柱２のブラケット３が取付けられる取着面２０２を左右横面（外側面と内側面）の２面とし、他方の支柱２のブラケット３が取付けられる取着面２０２を前後面（前側面と後側面）の２面とし、同じ高さ位置でそれぞれ設置してもよい。この場合、１台の商品陳列用什器１０内において、バー部材１６を同じ高さ位置における直交位置に形成することができる。図１３は図１１に示す商品陳列用什器１０の４台の設置形態を示す模式平面図であり、商品陳列用什器１０の２台を横並びとし他の２台を縦並びとして隣接させたものである。このように、商品陳列用什器１０を複数台設置して、ブラケット３をバー部材で且つ趣のある陳列形態とすることができる。
【００３６】
本発明の商品陳列用什器１０において、支柱２、２は、種々の固定手段に固定されていればよく、例えば、図１に示すように、支柱並び方向（支柱列方向）の長さが支柱２、２間の外寸法よりも大の長さを有する基台を使用することが好ましく、特に、支柱並び方向の長さは２本の支柱２、２間の外寸法の約２倍となっている基台が好ましい。これにより、支柱２から横方向外側に延びるブラケット３ａに商品を吊り下げても支持が安定する。また、基台１の支柱並び方向の直角方向（短手方向）の長さはブラケット本体部３２の長さの約２倍となっている。これにより、支柱２から前後方向に延びるブラケット３ｂ、３ｃに商品を吊り下げても支持が安定する。なお、本発明において、基台１は図１に示すような箱状に限定されず、薄板状、枠状あるいはパイプの組み物等であってもよい。また、本発明において、基台１の支柱並び方向の長さは、支柱２、２間の外寸法よりも大の長さを有するものに限定されず、支柱２、２を支持するものであればよく、例えば支柱２、２間の外寸法と略同じものであてもよい。基台１には、キャスターが付いているものが、陳列の模様替え等において商品陳列用什器１０を容易に移動させることができる。
【００３７】
本発明の商品陳列用什器は上記実施の形態に限定されず、種々の変形を採ることができる。例えば、支柱２へのブラケットの取着形態としては、図１、図９〜図１１のものに限定されず、２本で直角状としたもの、３本としたもの、それらが多段に形成したものなど種々の組み合わせが可能である。
【産業上の利用可能性】
【００３８】
本発明の商品陳列用什器は、構成する部品が例えば支柱、棚板部材、バスケット及びブラケットの４点と少ない部品点数で、陳列の演出を高めることができる。
【符号の説明】
【００３９】
１    基台
２    支柱
３    ブラケット
４    連結部材
１０    商品陳列用什器
１１    棚板部材
１２    バスケット
２１    スリット孔
３１    取付け部
３２    ブラケット本体部
３３    先端係止部
３１１    係止爪部
３１２    面部
３１３    両腕係止部
３１４    補強部材
【図１】
2015208592.tif 000003
【図２】
2015208592.tif 000004
【図３】
2015208592.tif 000005
【図４】
2015208592.tif 000006
【図５】
2015208592.tif 000007
【図６】
2015208592.tif 000008
【図７】
2015208592.tif 000009
【図８】
2015208592.tif 000010
【図９】
2015208592.tif 000011
【図１０】
2015208592.tif 000012
【図１１】
2015208592.tif 000013
【図１２】
2015208592.tif 000014
【図１３】
2015208592.tif 000015
【図１４】
2015208592.tif 000016